(57)【要約】【課題】オンリーワンボックス配送システムとその保冷モジュールを提供し、全行程で放冷ユニットを交換する必要性をなくし、オンリーワンボックス配送方式により低温貨物の配送品質を向上させ、かつ設備コストを削減すること。【解決手段】保冷モジュールを備え、この保冷モジュールが貨物の温度必要条件に応じて適切な異なる温度層の放冷ユニットを使用し、顧客が差し出す低温貨物を保冷モジュール中に入れて、低温貨物を発送者から受領者へ配送する過程中でオンリーワンボックス方式により全行程において必要とする温度条件内に保持し、放冷ユニットまたは低温輸送キャリアを交換する必要がなく、低温貨物配送品質を向上させ、配送作業フローを簡略化するオンリーワンボックス配送システム。【選択図】図２
2007331937.tif 000002
【特許請求の範囲】
【請求項１】
保冷モジュールを備え、該保冷モジュールが保冷ユニットと該保冷ユニット内に配置される放冷ユニットとを有し、前記保冷モジュールが発送者の低温貨物を収納するために用いられ、
配送作業および運送過程を経て前記保冷モジュールを受領者へ配送するものであり、前記低温貨物が前記発送者から前記受領者に配送される作業ならびに運送過程中いずれも前記保冷ユニット内に置かれ、前記放冷ユニットが前記発送者の低温貨物が必要とする温度条件に基づいて選択されるとともに、前記密封した保冷モジュール内の温度を維持するようにしたオンリーワンボックス配送システム。
【請求項２】
前記放冷ユニットが予め前記保冷ユニット内に配置され、発送者の低温貨物が、必要とする温度条件に基づいて、異なる保冷モジュールを選択して配置される請求項１記載のオンリーワンボックス配送システム。
【請求項３】
更に、凍結機を含み、選定された時間において前記各温度層の放冷ユニットに対する凍結蓄冷を行うようにした請求項１記載のオンリーワンボックス配送システム。
【請求項４】
更に、ボックスパレットを含み、すでに前記発送者の低温貨物をパッケージした保冷モジュールを仕分け処理した後、常温貨物および前記発送者が差し出した低温貨物をパッケージした保冷モジュールを共配転送ならびに継続配送を行って、多温度層共同配送の効果を達成するようにした請求項１記載のオンリーワンボックス配送システム。
【請求項５】
ワンボックス−ワンレシーバー方式を有し、前記発送者が差し出した１件または多数件の低温貨物を前記保冷モジュール内に入れた後、唯一の受領者に配達するようにした請求項１記載のオンリーワンボックス配送システム。
【請求項６】
前記保冷モジュールが貨物温度層・発送受領記録の標示、および発信者と受領者との確認署名を入れることのできるレシートを付すようにされている請求項１記載のオンリーワンボックス配送システム。
【請求項７】
前記保冷モジュールが温度表示することのできる温度表示装置を付すようにされている請求項１記載のオンリーワンボックス配送システム。
【請求項８】
保冷モジュールを備え、消耗性冷媒を前記保冷モジュール内に配置し、前記保冷モジュールが発送者の低温貨物を収納するために用いられ、且つ配送作業および運送過程を経て前記保冷モジュールを受領者へ配送し、前記低温貨物が、前記発送者から前記受領者に配送される作業ならびに運送過程中のいずれも前記保冷ユニット内に配置され、前記消費性冷媒が前記密封した保冷モジュール内の温度を維持するようにしたオンリーワンボックス配送システム。
【請求項９】
前記冷媒がドライアイスである請求項８記載のオンリーワンボックス配送システム。
【請求項１０】
オンリーワンボックス配送システムに適する保冷モジュールであって、前記保冷モジュールが保冷ユニットと放冷ユニットとを備え、
前記保冷ユニットは、箱体と該箱体の上蓋とを有し、
前記箱体は、収納空間を有し、
前記箱体の上蓋は、前記箱体の上部に設置されて、前記箱体と共に前記収納空間を密閉するように構成され、
前記放冷ユニットは、前記収納空間内に設置されて、前記オンリーワンボックス配送システムの全行程中必要とする温度範囲内に前記保冷ユニットを維持するように構成されている保冷モジュール。
【請求項１１】
更に、温度表示装置を含む請求項１０記載の保冷モジュール。
【請求項１２】
更に、温度層標示を含む請求項１０記載の保冷モジュール。
【請求項１３】
更に、カスタマー（顧客）差し出し受領署名レシートを含み、前記オンリーワンボックス多温度層実体配送システム中のワンボックス−ワンレシーバーの前記受領者の受領署名に用いるようにした請求項１０記載の保冷モジュール。
【請求項１４】
前記放冷ユニットを前記保冷モジューの箱体の上蓋内に置くことができ、異なる温度層に基づいて前記放冷ユニットを交換する時、対応する前記放冷ユニットを収容するのに前記箱体の上蓋を交換するだけでよい請求項１０記載の保冷モジュール。
【請求項１５】
前記放冷ユニットが冷凍放冷ユニット・氷温放冷ユニットまたは冷蔵放冷ユニットのうちの１つとすることができる請求項１０記載の保冷モジュール。
【請求項１６】
多数個の各種温度層の放冷ユニット・前記放冷ユニットを凍結できる凍結機・一種または多種の容積で低温貨物を保存できる保冷ユニットを設置する、多数の営業所と、前記保冷ユニット、前記凍結機、および各種温度層凍結の放冷ユニットを組み合わせて１つの保冷モジュールとして構成し、発送者が差し出した低温貨物を前記保冷モジュール内に挿入するとともに密封して、前記営業所により転送して受領者に配達する集配車とを含み、
前記低温貨物が前記発送者から前記受領者への配送作業および運送過程中のいずれも前記密封された保冷モジュール内に置かれた前記放冷ユニットにより前記密封された保冷モジュール内の温度を維持するようにした配送輸送システム。
【請求項１７】
前記営業所が更にボックスパレットを含み、すでに前記発送者が差し出した低温貨物をパッケージした保冷モジュールを仕分け処理した後、前記集配車で常温貨物ならびに前記発送者が差し出した低温貨物をパッケージした保冷モジュールをその他の営業所へ共配転送および継続配送に用い、多温度層共同配送を行うようにした請求項１６記載の配送輸送システム。
【請求項１８】
ワンボックス−ワンレシーバー方式を採用して、前記発送者が差し出した１件または多数件の低温貨物を前記保冷モジュール内に入れた後、唯一の受領者に配達するようにした請求項１６記載の配送輸送システム。
【請求項１９】
前記保冷モジュールが貨物温度層・発送受領記録の表示、および発信者と受領者との確認署名を入れることのできるレシートを付すようにされた請求項１６記載の配送輸送システム。
【請求項２０】
前記保冷モジュールの外部に温度表示を表示できる温度表示装置を付すようにされた請求項１６記載の配送輸送システム。
【発明の詳細な説明】
【技術分野】
【０００１】
この発明は、配送システムおよびこの配送システムに使用する保冷モジュールに関し、特に、配送全行程において同一保冷モジュールを保持するとともに必要とする温度条件内に維持することができるオンリーワンボックス配送システム（Only One Box Delivery System）およびこのオンリーワンボックス配送システムに使用する保冷モジュール（Cold-holding module）に関するものである。
【背景技術】
【０００２】
現在、使用されている全温度層配送サービスシステムは、主に、専用車両の荷箱区画および電機式保冷キャビネットシステムであり、このシステムの主要な運行モードは、冷凍蓄冷技術ならびに保冷技術を利用して、多温度層の共同配送（冷凍−１８℃・氷温−２℃・冷蔵５℃・常温２５℃）操作を達成するものである。
【０００３】
電機式保冷キャビネットシステムについて言えば、電気冷蔵庫式保冷キャビネットと蓄冷技術の結合であって、つまり保冷キャビネット体に冷凍機および蓄冷コイル管を設置し、営業所で冷凍機を電力で駆動して運転すると同時に蓄冷し、蓄冷完了後に配送に必要な冷却エネルギーを提供できるとともに、常温トラックならびに常温貨物を利用して共同配送するものであり、現在、主要には、営業所間での低温貨物の転送に応用され、荷台を弾力的に利用できるという利点を得ている。配送車は、冷凍荷箱台を冷凍・冷蔵・常温に区画すること、または常温荷箱内に別に冷凍および冷蔵キャビネットを設置することを利用して各種温度層の貨物を集配しているが、車体には、冷凍機を設置する必要がある。
【発明の開示】
【発明が解決しようとする課題】
【０００４】
しかし、前記したシステムは、色々な問題に直面しており、例えば、低温貨物が作業ならびに輸送過程において、異なる拠点（営業所・転送センター）で保温容器を交換する必要がある時、作業員の手違い、例えば、蓄冷が完了していないのにそのまま使用することなどを引き起こしやすい。加えて、もしも低温仕分け環境を整備して設備と対応させようとすれば、投資コストが大きすぎること及び運転資金が増大する問題に直面するから、現在、設置するのは稀であり、仕分け作業時に作業員ができるだけ速く低温貨物を処理して、低温貨物が常温環境に曝される時間を短縮し、低温貨物の品質に影響を及ばさないよう努力しているだけである。
【０００５】
また、現在の配送システムは、低温貨物が配送作業員から顧客受領および発送というこの過程において、いずれも保冷措置が取られておらず、低温貨物の品質もこの過程において常温環境に曝されることとなっている。
【０００６】
さらに、仕分け及び転送作業がいずれも夜間に行われるので、夜間に必要とする冷却エネルギーを昼間に蓄積しなければならず、夜間のオフピーク電力を十分に利用することができない。電機式保冷キャビネットの製造価格は高く、重量は重く、冷凍荷台区画の配送車は、ドア開放時の冷却エネルギー損失が大きすぎる等、いずれも、現在、全温度層配送サービスシステムを行う上で直面する問題となっている。
【０００７】
そこで、この発明の目的は、オンリーワンボックス配送システムとそれが使用する保冷モジュールを提供し、全行程において放冷ユニット（cold-releasing unit）を交換する必要性をなくし、オンリーワンボックス配送方式により低温貨物の配送品質を向上させることにある。
【０００８】
この発明の別な目的は、オンリーワンボックス配送システムとそれが使用する保冷モジュールを提供し、常温トラックを利用して多温度層での冷凍動力操作をなくし、低温配送仕分け作業フローを簡略化し、投資コストを削減することにある。
【課題を解決するための手段】
【０００９】
上記目的を達成するため、この発明は、一実施例において、オンリーワンボックス配送システムを提供する。このシステムにおいて、保冷ユニットを提供し、放冷ユニットをその中に置くことにより保冷モジュールが構成され、前記保冷モジュールが発送者の低温貨物を収納するために用いられる。また、配送作業および運送過程を経て前記保冷モジュールを受領者へ配送するとともに、前記受領者により確認署名され、前記低温貨物が前記発送者から前記受領者に配送される作業ならびに運送過程中いずれも前記密封保冷ユニット内に置かれ、その中に置かれた前記放冷ユニットが前記密封した保冷モジュール内の温度を維持する。
【００１０】
前記オンリーワンボックス配送システムは、一実施例において、放冷ユニットが受領時に発送者の低温貨物が必要とする温度条件に基づいて選択されるとともに、配送作業および輸送過程全体において、前記低温貨物を前記保冷モジュール内に密封する。
【００１１】
前記オンリーワンボックス配送システムは、一実施例において、前記放冷ユニットが予め前記保冷ユニット内に置かれて保冷モジュールを構成し、発送者の低温貨物が必要とする温度条件に基づいて、異なる保冷モジュールを選択して置かれ、配送作業および輸送過程全体において、前記予め入れられた放冷ユニットが前記低温貨物と一緒に前記保冷モジュール内に密封される。
【００１２】
一実施例において、この発明は、オンリーワンボックス配送システムに適した保冷モジュールを提供する。前記保冷モジュールは、保冷ユニットおよび放冷ユニットを含み、保冷ユニットが箱体ならびに箱体上蓋を含む。この箱体が収納空間を備え、箱体上蓋が前記箱体上方に設置されて、前記箱体と密閉された前記収納空間を形成する。保冷ユニットが前記収納空間内に設置されて、前記箱体内が前記オンリーワンボックスの多温度層配送システム運送の全行程中に必要とする温度範囲内に保持される。
【００１３】
この発明は、貨物必要条件に従って異なる温度層の放冷ユニットを使用する保冷ユニットおよび各種温度層の放冷ユニットを提供し、顧客が差し出した低温貨物をこの保冷ユニット中に入れるとともに密封して保冷モジュールとし、低温貨物が発送者から受領者へ至る配送サービス過程中、全行程において必要とする温度条件を保持して、放冷ユニットの交換および保冷容器または輸送キャリアの交換を必要とせず、低温貨物配送の品質を向上させるとともに、配送作業フローを簡略化する。
【００１４】
この保冷ユニットおよび放冷ユニットから構成される保冷モジュールを運用する配送システムの一実施例では、保冷ユニットを提供して、発送者が差し出した低温貨物をこの保冷ユニット内に入れるとともに、適した温度層の放冷ユニットをこの保冷ユニット内に置き密封して前記保冷モジュールとすることができる。配送作業ならびに輸送過程を経てこの保冷モジュールを受領者に配達し、前記受領者により署名受領する。また、他の実施例において、予め特定温度層の放冷ユニットを入れた保冷ユニットを提供し、発送者が差し出した低温貨物をこの保冷モジュールを受領者内にいれて密封する。配送作業ならびに輸送過程を経てこの保冷モジュールを受領者に配達し、前記受領者により署名受領する。
【００１５】
前記低温貨物が発送者から受領者への配送作業ならびに輸送過程の全行程においていずれも保冷モジュール内に密封されるとともに、その中に置かれる放冷ユニットが密封された保冷モジュール内の温度を維持する。
【００１６】
この配送システム中、さらに、冷凍機を含んで、ある選定された時間、例えば、電力のオフピーク時間に、各種温度層の放冷ユニットに対して凍結蓄冷を行い、支出を節約することができる。この配送システムは、さらに、一般のボックスパレットを使用して既に前記発送者が差し出した低温貨物をパッケージした保冷モジュールに対して仕分け処理を行った後、常温貨物と低温貨物をパッケージした保冷モジュールとを共同配送転送および継続配送を行って、多温度層共同配送の効果を達成することができる。
【００１７】
この配送システムにおいては、ワンボックス−ワンレシーバー（One Box-One Receiver）方式を採用して、前記発送者が差し出した１件または多数件の低温貨物を保冷モジュール内に入れて密封した後、唯一の受領者に配達する。
【００１８】
この配送システムにおいて、保冷モジュールは、貨物の温度層・発送受領記録の標示、および発送者および受領者により確認署名を入れることのできるレシートを付している。
【発明の効果】
【００１９】
この発明によって提供される保冷モジュールの配送システムの応用は、多くの特徴があり、設備コストを節約でき、一方で営業所において製造価格の高い保冷キャビネット（あるいは低温ボックスパレットという）を設置する必要がなく、一般のボックスパレットにより多温度層貨物の仕分け及び継続配送・転送などの運送作業を行うことができる。他方で転送センターにおいて冷凍機および保冷キャビネット（あるいは低温ボックスパレットという）を設置する必要がない。また、配送過程中、全行程において一般の常温トラックを使用して多温度層の貨物を使用することができ、集配車両が低温貨物の温度を保持する低温環境を設置する必要がない。
【００２０】
この発明によって提供される保冷モジュールの配送システムの応用は、また、貨物品質を向上させることができるが、それは、主要に全行程において放冷ユニットの交換ならびに保冷容器の交換を必要としないからであって、貨物が外界と接触する機会を大幅に減少させて、細菌の繁殖を防止するとともに、貨物のある環境の温度または湿度条件などが安定したものとなる。さらに、この発明の営業所および転送センターは、低温仕分け環境を設置する必要がないので、常温仕分け作業フローにより低温貨物の仕分けを行うことができるから、現在、配送会社が低温仕分け環境設備投資コストが高すぎて、通常、低温仕分け環境を設置せずに、常温環境のもとで低温貨物の仕分け作業を行っており、低温貨物の品質に影響を及ぼすことを回避することができる。
【００２１】
この発明によって提供される保冷モジュールの配送システムの応用は、電気代の支出を節約する方面でもまた顕著な進歩性がある。これは、主要に営業所に保冷キャビネット（あるいは低温ボックススパレットという）を設置する必要がなく、しかも転送センターに凍結機または保冷キャビネットを設置する必要がないため、これらの設備の運転に必要な電力支出を節約できるだけでなく、営業所が夜間のオフピーク電力を利用して放冷ユニットを凍結蓄冷することができ、昼間、集配車に各温度層の放冷ユニットを配置して保冷ユニットと組み合わせて保冷モジュールとした後で貨物の集配を行えるので、夜間のオフピーク電力を利用して、電気代の支出を節約することができる。
【００２２】
この発明によって提供される保冷モジュールの配送システムの応用は、人為的な操作ミスを減らすことができる。全行程において放冷ユニットの交換ならびに保冷容器の交換が必要でなくなるため、現在の配送システムが保冷容器または放冷ユニットの交換を必要として貨物の損傷あるいは紛失・貨物処理温度条件の誤りなどの状況の発生を防ぐことができ、人為的なミスが発生する機会を大幅に低減させることができる。
【００２３】
この発明によって提供される保冷モジュールの配送システムの応用は、異なる温度層の放冷ユニットを使用できる保冷モジュールを提供するものであり、低温貨物の保冷時間を発送者から受領者に配達して受領されるまでの過程全体をカバーすることができるので、貨物の品質を確保することができ、人為的な操作ミスを減らすことができる。このような全温度層配送システムは、顧客対顧客のＣ２Ｃ（Customer-to -Customer）配送サービスに適用できるばかりか、会社対消費者のＢ２Ｃ（Business-to-Consumer）商業構成にも適用することができ、とりわけコンビニエンスストアーまたはＢ２Ｃインターネット取り引きなどの販売ルートにより完了する取り引きがそうであり、これらの取り引きの物件は、低温配送を必要とする商品である。発送者である会社からこれらの低温配送を必要とする商品をこの発明が提供する保冷モジュールパッケージを応用した後、受領者に直接配送する。注文票を受けた会社から受領者に直接配送する過程全体は、貨物が全行程において保冷モジュール内に密封されており、放冷ユニットの交換および保冷容器の交換をする必要がなく、貨物が外界と接触する機会を大幅に減らして、貨物の品質を保証することができる。
【００２４】
この発明が提供する配送システムの運用は、前記Ｂ２Ｃ商業構成の業者と協働して、業者に特注（Customization）の保冷モジュールならびに必要とする特注化された異なる温度層の放冷ユニットを提供して、ビジネス競争力を強化することができる。
【発明を実施するための最良の形態】
【００２５】
以下、この発明を実施するための最良の形態を図面に示された実施例に基づいて説明する。
この発明に係る配送システムおよびこの配送システムの使用する保冷モジュールは、異なる温度層の放冷ユニットを使用できる保冷ユニットならびに各種温度層の放冷ユニットを提供するものであり、顧客が差し出した低温貨物をこの保冷モジュール中に入れて、低温貨物を発送者から受領者へ配送している間、全行程においてこの保冷モジュール中に置くとともに必要とする温度条件を保持し、放冷ユニットの交換および保冷容器または輸送キャリアの交換を必要としない。従って、この発明は、オンリーワンボックスの多温度層配送システムの運用構成を提供するものであり、いわゆるオンリーワンボックスとは、低温貨物を発送者から受領者へ配送する過程の全行程において、この保冷モジュール中に入れておくものである。
【００２６】
前記した異なる温度層の放冷ユニットは、消耗性冷媒を使用することもできる。この消耗性冷媒を保冷ユニット内に入れて保冷モジュール内の温度を制御する。この消耗性冷媒は、例えば、ドライアイスなどとすることができる。
【００２７】
図１は、この発明の一実施例に係る保冷モジュールを示す。
この保冷モジュール１００は、保冷ユニット１０５と放冷ユニット１３０とから構成される。保冷ユニット１０５が箱体上蓋１１０と保冷箱体１２０とを含み、保冷箱体１２０内に収納空間１２１を備えて低温貨物１４０と各種温度層の放冷ユニット１３０とを入れる。放冷ユニット１３０は、収納空間１２１の温度を維持し、保冷ユニット１０５の保冷時間を増加させる。保冷モジュール１００は、また、温度層標示１１２・顧客差し出し確認署名レシート１１４・温度表示装置１１５および発送／受領標示１１６を含んでいる。
【００２８】
別な実施形態では、各温度層の放冷ユニット１３０が箱体上蓋１１０内に置かれて、箱体上蓋１１０を交換することにより保冷モジュール１００の温度環境を調整できる。
【００２９】
異なる低温貨物が必要とする温度環境に合わせるため、例えば、冷蔵食品（＋５℃）・氷温食品（−２℃）および冷凍食品（−１８℃）など、各温度層の放冷ユニット１３０は、冷凍放冷ユニット１３２・氷温放冷ユニット１３４ならびに冷蔵放冷ユニット１３６とすることができる。各温度層の放冷ユニット以外にも消耗性冷媒（例えば、ドライアイス）を利用して保冷モジュール１００の保冷効果を強化することができる。
【００３０】
顧客が低温貨物１４０を差し出す時、配送作業員は、異なる低温貨物が必要とする温度条件により、温度層表示１１２上に保冷モジュールの温度層を注記する。そして、顧客差し出し確認署名レシート１１４上に例えば貨物差し出しの時間・配送料金などの情報を注記し、貨物が配達された時には、受領者に確認署名を求める。この発明の特徴を強調すると、低温貨物が発送者から受領者へ配送される過程中、全行程においてこの保冷モジュール１００内に保持され、放冷ユニットの交換および保冷容器または運送キャリアの交換などが及ぼす影響を受けることがない、ということである。
【００３１】
また、温度表示装置１１５は、運送過程中に温度表示を行う。発送／受領標示１１６上には、貨物の発送または受領を注記することができ、後続作業の識別用に使用する。
【００３２】
この発明の保冷モジュールの設計を応用すれば、配送システムがより効率よく各種温度層の物品、例えば、常温食品・生鮮食品・冷蔵食品・氷温食品および冷凍食品などを配送することができる。
【００３３】
この保冷モジュールの設計を運用する配送システムの実施例は、この保冷モジュールを提供して、発送者が差し出す低温貨物を入れるとともに、適切な温度層の放冷ユニットを保冷ユニット内に置き、かつ密封してこの保冷モジュールを構成する。配送作業ならびに輸送過程を経て、この保冷モジュールを受領者へ配達し、前記受領者により確認署名してもらう。
【００３４】
他の実施例において、予め特定温度層の放冷ユニットを提供し、発送者が差し出す低温貨物をこの保冷モジュール内に直接入れて密封する。配送作業ならびに輸送過程を経て、この保冷モジュールを受領者へ配達し、前記受領者により確認署名してもらうことができる。
【００３５】
前記低温貨物は、発信者から受領者への配送作業ならびに輸送過程中、いずれも密封された保冷モジュール内に置かれるとともに、この保冷モジュール内に置かれた放冷ユニットによって、密封された保冷モジュール内の温度および保冷時間が維持される。
【００３６】
この配送システムにおいては、さらに、凍結機を含み、ある選定時間、例えば、電力オフピーク時間において、各種温度層の放冷ユニットに対する凍結を行い、電力を節約する。この配送システムは、さらに、一般のボックスパレットを使用して、前記発送者が差し出す低温貨物の保冷モジュールを常温環境において仕分け処理した後、常温貨物と低温貨物とを入れた保冷モジュールを共同配送・転送ならびに継続配送して、多温度層共同配送の効果を達成することができる。
【００３７】
この配送システムにおいては、ワンボックス−ワンレシーバー（One Box-One Receiver）方式を採用し、前記発送者が差し出す１件または多数件の低温貨物を同一の保冷モジュール内に入れて密封した後、唯一の受領者へ配送することができる。
【００３８】
この配送システムでは、その保冷モジュールの外部に貨物温度層・発送受領記録・発送者および受領者受領署名レシートの表示を付している。また別な実施例では、この保冷モジュールの外部に温度表示・記録・時間ならびに警告を提供できる温度表示装置を付すこともできる。
【００３９】
図２は、この発明に係る保冷モジュールを応用した配送システム運用の一実施例を示す。
この配送システムは、カスタマーエンド２１０・配送作業員２２０・ボックスパレット２７０および転送センター２８０を含む。先ず、カスタマーエンド２１０が低温貨物１４０を配送作業員２２０に差し出し、配送作業員２２０が貨物の温度層に基づき、異なる温度層の放冷ユニットの保冷モジュール１００に合わせ、顧客が差し出す低温貨物を保冷モジュール１００に入れて密封した後、集配車２４０により貨物を営業所２５０へ運び、ボックスパレット２７０で仕分けした後、転送センター２８０へ輸送する。この集配車２４０は、一般の多温度層集配車または常温集配車とすることができるとともに、保冷装置を配置して異なる温度層の放冷ユニットを入れるだけで、これらの放冷ユニットの温度を維持することができる。
他の実施例において、この集配車２４０は、一般の常温集配車とすることができ、保冷装置を設置する必要はなく、保冷モジュール１００内に予め異なる温度層の放冷ユニットを入れておくだけで、これらの保冷モジュール１００内の温度を維持することができる。
【００４０】
営業所２５０内に凍結機２６０および保冷モジュールを搬送するボックスパレット２７０を設置する。この凍結機２６０は、配送貨物を低温保存するために用いるものではなく、夜間の時間、電力が比較的安いオフピーク時間を利用して、放冷ユニットに対する蓄冷を行い、放冷ユニットを使用した後に消費された冷却エネルギーを補充する。現在の蓄冷技術を利用する従来の多温度層共同配送の配送システムは、転送センターが夜間の時間を利用して作業するので、昼間に放冷ユニットを凍結機または既存の冷凍機を利用して蓄冷を行うから、夜間のオフピーク電力を利用して蓄冷することができない。この従来の配送システムと比較すると、この発明は、現有システムが夜間のオフピーク電力を利用して蓄冷することができない欠点を解決し、電力および運転コストを節約することができる。
【００４１】
図３は、この発明に係る保冷モジュールを応用した配送システム運用の他の実施例を示す。
この配送システムは、第１カスタマーエンド３１０と、集配車３２０と、営業所Ａ１と、営業所Ａ２と、営業所Ｃ１と、営業所Ｃ２と、転送センターＣと、転送センターＢと、転送センターＣと、幹線輸送車３３０と、第２カスタマーエンド３４０とを含む。
この実施例において、第１カスタマーエンド３１０が低温貨物を第２カスタマーエンド３４０へ送る場合を例にとって説明する。
先ず、第１カスタマーエンド３１０の送りたい貨物を受理する（地点は例えば：コンビニエンスストアーなどの取り次ぎ店、またはカスタマーから直接）とともに、貨物の温度層に基づき、異なる温度層の放冷ユニットの保冷モジュールと組み合わせて、顧客が差し出す低温貨物を保冷モジュールに入れた後、集配車３２０（一般の常温トラックまたは多温度層集配車とすることができる）により貨物を営業所Ｃ１へ運び、記録ならびに簡単な仕分けの後、転送センターＣへ転送し、幹線輸送車３３０を介して貨物を転送センターＡへ輸送する。その後、多温度層集配車を利用して貨物を営業所Ａ２に輸送し、最後に、配送作業員が貨物を第２カスタマーエンド３４０に渡して、低温貨物配送の仕事を完了する。各区域の営業所および転送センターの主要な機能は、収集・記録・各類型の貨物を分類して、同一区域の貨物を集中して配送することである。
【００４２】
以上の如く、この発明の最良の実施形態をいくつかの実施例に基づいて開示したが、これら実施例は、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を含むものである。
【図面の簡単な説明】
【００４３】
【図１】この発明の一実施例に係る保冷モジュール、各温度層の放冷ユニットおよび貨物収納を示す説明図。
【図２】この発明に係る保冷モジュールを応用した配送システム運用構成の一実施例を示す要部説明図。
【図３】この発明に係る保冷モジュールを応用した配送システム運用構成の他の実施例を示す全体説明図。
【符号の説明】
【００４４】
１００  保冷モジュール
１０５  保冷ユニット
１１０  箱体上蓋
１１２  温度層標示
１１４  顧客差し出し確認署名レシート
１１５  温度表示装置
１１６  発送／領収標示
１２０  保冷箱体
１２１  収納空間
１３０  放冷ユニット
１３２  冷凍放冷ユニット
１３４  氷温放冷ユニット
１３６  冷蔵放冷ユニット
１４０  低温貨物
２１０  カスタマーエンド
２２０  配送作業員
２４０  集配車
２５０  営業所
２６０  凍結機
２７０  ボックスパレット
２８０  転送センター
３１０  第１カスタマーエンド
３２０  集配車
３３０  幹線輸送車
３４０  第２カスタマーエンド
Ａ１，Ａ２，Ｃ１，Ｃ２  営業所
Ａ，Ｂ，Ｃ  転送センター
【図１】
2007331937.tif 000003
【図２】
2007331937.tif 000004
【図３】
2007331937.tif 000005